(57)【要約】【課題】葉物野菜と果実野菜とを平面的に重なる空間内で栽培することができて、葉物野菜と果実野菜のいずれかのみを栽培する場合に比べて土地の単位面積当たりの収量を上げ得る，野菜栽培設備、野菜栽培方法及び野菜栽培用ラックを提供する。【解決手段】葉物野菜栽培部Ａと果実野菜栽培部Ｂとが配設された野菜栽培設備１００であって、葉物野菜栽培部Ａは、骨材製組立体である野菜栽培用ラック１０と、野菜栽培用ラック１０にその開口部を閉塞する防虫ネット１２と、防虫ネット１２の外面に重ねられかつ下端に取り付けられたフィルム巻上具１５により巻上可能に設けられたフィルム１３と、野菜栽培用ラック１０のプール設置用ベッド１０Ａ上に設置され養液を溜めるプールとを備え、果実野菜栽培部Ｂは、野菜栽培用ラック１０の上面部上に設置された果実野菜栽培台２０と、果実野菜栽培台２０上に設置された培地２１と、を備えている。【選択図】図４
2014023433.tif 000002
【特許請求の範囲】
【請求項１】
平面的に重なる下位空間と上位空間に葉物野菜栽培部と果実野菜栽培部とが配設され葉物野菜と果実野菜とを併行して栽培する野菜栽培設備であって、
前記葉物野菜栽培部は、周面の開口部を密閉されることで水平方向に長い空間を構成するための骨材製組立体である野菜栽培用ラックと、前記野菜栽培用ラックにその開口部を閉塞するように張られた防虫ネットと、前記防虫ネットの外面に重ねられかつ下端に取り付けられたフィルム巻上具により巻上可能に設けられたフィルムと、前記野菜栽培用ラックのプール設置用ベッド上に設置され養液を溜めるプールとを備え、
前記果実野菜栽培部は、前記野菜栽培用ラックの上面部上に設置された果実野菜栽培台と、前記果実野菜栽培台上に設置された培地とを備えている、
ことを特徴とする野菜栽培設備。
【請求項２】
前記野菜栽培用ラックは、長矩形のプール設置用ベッドと、前記プール設置用ベッドの長手方向に沿った両側面に立設され前記防虫ネットを張り込める枠形に形成された一対の側面枠体部と、前記一対の側面枠体部の上端に支持され、前記防虫ネットを張り込める枠形に形成されかつ前記フィルムの上端を止着し得るフィルム止着部を有する上面枠体部と、前記上面枠体部に支持された状態に設けられ前記プール設置用ベッドに比べて幅方向の寸法が小さく前記プール設置用ベッドに沿って長い果実野菜栽培用の培地を設置するための前記果実野菜栽培台を備えている請求項１に記載の野菜栽培設備。
【請求項３】
前記果実野菜栽培台の下面に対応し前記上面枠体部に葉物野菜の水耕栽培に必要な栽培光を照射する照明具が設置されている請求項２に記載の野菜栽培設備。
【請求項４】
前記プールは、ラック長手方向に分割された複数の分割受皿であって、前記分割受皿中のラック長手方向の両端に位置する分割受皿が三方に立ち上がる側面壁を有し、その他の分割受皿がラックの幅方向に立ち上がる側面壁を有し、これらの分割受皿が敷き詰められて周壁を有する組立受皿として備えられ、前記組立受皿の上にプール用フィルムが被され組立受皿の内面に密着されて養液を貯留し得る容器形状に形成されてなる請求項１乃至３のいずれかに記載の野菜栽培設備。
【請求項５】
前記果実野菜栽培台は、幅方向の一端又は両端に樋部を有し、前記プール設置用ベッドに載置固定されている請求項１乃至４のいずれかに記載の野菜栽培設備。
【請求項６】
前記培地は、下面部に液抜孔を有する耐久性・断熱性を有する袋で包まれた横長の多孔質含水性ブロックと、前記袋の上面部の長手方向に所定間隔をおいて開孔された載置位置開口部を通して前記多孔質含水性ブロック上に載置された複数の多孔質含水性ポットと、を備えている請求項１乃至５のいずれかに記載の野菜栽培設備。
【請求項７】
前記多孔質含水性ブロック及び前記多孔質含水性ポットは、ロックウール又はグラスウールからなる請求項６に記載の野菜栽培設備。
【請求項８】
前記培地は、底面部に水抜き用の小孔を有する発泡スチロール製の箱に培養土を入れたものである請求項１乃至４のいずれかに記載の野菜栽培設備。
【請求項９】
前記含水性ポット又は前記箱の培養土に果実野菜を栽培するために必要な養液を供給する養液供給手段を備えている請求項６乃至８のいずれかに記載の野菜栽培設備。
【請求項１０】
前記果実野菜栽培台と前記培地との間に挟まれるように、寒気に温水を通流させ夏季に冷水を通流させて培地温度を調節する液通流パイプを備えた請求項６又は７に記載の野菜栽培設備。
【請求項１１】
前記野菜栽培用ラックの長手方向の端面部に連結され該端面部を開閉する戸を備えた請求項１乃至１０のいずれかに記載の野菜栽培設備。
【請求項１２】
周面の開口部を密閉されることで水平方向に長い空間を構成するための骨材製組立体である野菜栽培用ラックを設置し、前記野菜栽培用ラックの開口部に防虫ネットを張り、前記防虫ネットの外面にフィルムを重ねられかつ該フィルムの下端にフィルム巻上具を取り付けて該フィルムを下端より巻上可能とし、前記野菜栽培用ラックの内部を密閉解放可能なトンネル空間とし、該トンネル空間を利用して葉物野菜を水耕栽培し、前記野菜栽培用ラックの上面部の幅方向中央部に培地接地用果実野菜栽培台を備えてその上で果実野菜を栽培し、葉物野菜と果実野菜とを上下の空間で併行して栽培する、ことを特徴とする野菜栽培方法。
【請求項１３】
平面的に重なる下位空間と上位空間に葉物野菜栽培部と果実野菜栽培部とが配設され葉物野菜と果実野菜とを併行して栽培する野菜栽培設備を構成するための野菜栽培用ラックであって、
長矩形のプール設置用ベッドと、前記プール設置用ベッドの長手方向に沿った両側面に立設され前記防虫ネットを張り込める枠形に形成された一対の側面枠体部と、前記一対の側面枠体部の上端に支持され、前記防虫ネットを張り込める枠形に形成されかつ前記フィルムの上端を止着し得るフィルム止着部を有する上面枠体部と、前記上面枠体部に支持された状態に設けられ前記プール設置用ベッドに比べて幅方向の寸法が小さく前記プール設置用ベッドに沿って長い果実野菜栽培用の培地を設置するための果実野菜栽培台を備えている、ことを特徴とする野菜栽培用ラック。
【発明の詳細な説明】
【技術分野】
【０００１】
本発明は、葉物野菜と果実野菜とを同一平面内の培地にて併行して栽培し得る野菜栽培設備、野菜栽培方法及び野菜栽培設備と方法に用いられる野菜栽培用ラックに関する。
【背景技術】
【０００２】
本発明者は、葉物野菜と果実野菜とを栽培するに際し、同一平面内に重なるように、葉物野菜を栽培するための培地と果実野菜を栽培するための培地とを備えることができれば、土地の単位面積当たりの収量を上げられることに想到した。
【０００３】
そこで、本発明者は、ＩＰＤＬにより先行技術調査をした結果、先行技術を見つけることは出来なかった。具体的には、葉物野菜と果実野菜とを同一平面内に重なる複数の培地のうち、一の培地で収穫期間が１月前後であるほうれん草，コマツナ，シュンギク，ルッコラ等の葉物野菜を栽培し、他の培地では収穫期間が２月位から１年前後であるナス，キュウリ，イチゴ，オクラ，モロコシ，メロン等の果実野菜を栽培し得る栽培設備、栽培方法及び栽培設備を構成するための骨組構造体について、ＩＰＤＬにより先行特許文献を調査したが、一件も見つけられなかった。なお、葉物野菜を栽培に関する先行特許文献と、果実野菜を栽培に関する先行特許文献については、見つけられたので以下に説明する。
【０００４】
特許文献１には、温度と湿度を調整する空調手段と植物に光を照射する照明器具とを備えた密閉室内に、植物を支持する多数の孔を有する２枚のパネルの上端部同士を合わせた山形パネルよりなる複数列の畝を備え、山形パネルの裏側の三角空間より植物の根へ養液等を供給するとともに、山形パネルのＶ形空間に空気を流動させて葉物野菜を植物栽培する方法が開示されている。
【０００５】
特許文献２には、上面に複数の植栽孔を有し、その底面に長手方向に平行な凹凸溝を有し、長手方向に傾斜勾配を有する葉菜栽培容器に対し、養水を傾斜勾配の上端で供給し下端から流出させて循環させ、葉菜を植栽孔に挿通し、葉菜の根部に養水を接触させて栽培する葉菜の水耕栽培方法が開示されている。
【０００６】
特許文献３には、開口を有しこの葉菜開口に幼苗を植えた植鉢をはめて支持されるキャリングプレートと、キャリングプレートに支持される幼苗が浸漬する状態に養液を流動されキャリングプレートを受け容れて支持するトラフと、有し、トラフを所定の日数をかけて前進させて葉菜を成長させ、終着端にて葉菜を収穫する水耕栽培装置が開示されている。
【０００７】
特許文献４には、ハウス内で、ロックウールなどの培地を用い、その培地に培養液をかけ流してトマト等を栽培するトマト等の栽培における培地冷却システムが示されている。このシステムは、ハウス内の床面に敷設された断熱材と、断熱材の上に設けられ夏季などに培地温度が３０℃以上になる際に培地冷却用の冷水を通流される金属製の蓋付き樋と、蓋付き樋上に横長のブロック状のスラブを載置しその上に所定間隔をおいてポットを設けてなるロックウール等で形成された培地と、を有し、ポットにおいてトマトが植栽され、トマトの根がポットスラブ内にまで伸び、各ポットに培養液注入パイプから培養液が適宜流し込まれる、トマト等の栽培水耕栽培方法が開示されている。
【０００８】
特許文献５には、トレイと、トレイ上に載置された水分調節用ロックウールと、水分調節用ロックウールの上に載置され防根シートで包まれた栽培用ロックウールと、を備え、トレイに養液を液面管理しつつ湛液し、栽培床の含水率及び養液濃度を安定させるように養液を水分調節用ロックウールに浸漬させてトマト等の作物に最適な量の養液を供給する養液栽培方法が開示されている。
【先行技術文献】
【特許文献】
【０００９】
【特許文献１】特開２００２−１４２５８５号公報
【特許文献２】国際公開ＷＯ２０１０／０７３９０１号公報
【特許文献３】特開平０８−０４７３４８号公報
【特許文献４】特開２００６−０８１４７４号公報
【特許文献５】特開平１１−１４６７３７号公報
【発明の概要】
【発明が解決しようとする課題】
【００１０】
本発明は、土地の単位面積当たりの収量を上げ得る手法として、葉物野菜栽培部と果実野菜栽培部が上下に配設され葉物野菜と果実野菜とを併行して栽培し得る野菜栽培設備、野菜栽培方法及び前記野菜栽培設備を構成するための野菜栽培用ラックを提供することを目的としている。
【課題を解決するための手段】
【００１１】
上記目的を達成するために、本発明の第１の態様の野菜栽培設備は、平面的に重なる下位空間と上位空間に葉物野菜栽培部と果実野菜栽培部とが配設され葉物野菜と果実野菜とを併行して栽培する野菜栽培設備であって、前記葉物野菜栽培部は、周面の開口部を密閉されることで水平方向に長い空間を構成するための骨材製組立体である野菜栽培用ラックと、前記野菜栽培用ラックにその開口部を閉塞するように張られた防虫ネットと、前記防虫ネットの外面に重ねられかつ下端に取り付けられたフィルム巻上具により巻上可能に設けられたフィルムと、前記野菜栽培用ラックのプール設置用ベッド上に設置され養液を溜めるプールとを備え、浮きパネルに形成された孔に苗の根を通して該苗を固定して該浮きパネルを前記プールに溜めた養液に浮かべて葉物野菜を水耕栽培する構成であり、前記果実野菜栽培部は、前記野菜栽培用ラックの上面部上に設置された果実野菜栽培台と、前記果実野菜栽培台上に設置された培地とを備えている、ことを特徴とする。
【００１２】
第１の態様において、「葉物野菜」とは、ほうれん草，コマツナ，シュンギク，ルッコラ等であり、「果実野菜」とは、トマト，ナス，キュウリ，イチゴ，オクラ，モロコシ，メロン等である。
【００１３】
第１の態様によれば、野菜栽培用ラックのプール設置用ベッド上のプールに養液を溜め、浮きパネルに形成された孔に苗の根を通して該苗を固定して該浮きパネルを前記プールに溜めた養液に浮かべて葉物野菜を水耕栽培し、また野菜栽培用ラックの上面部の果実野菜栽培台上に設置した培地に苗を固定し一定時間毎に養液を給液して果実野菜を栽培する。プールに溜める養液は、葉物野菜の栽培サイクルで全量を回収し、新規に養液を貯留する。果実野菜の培地への養液の給液は、ポンプと養液タンク等を含む養液供給手段により行うか、やかん等に養液を入れて人手作業により行なっても良い。
【００１４】
第１の態様によれば、夏季の高温となる日中には、フィルム巻上具によりフィルムを巻き上げて外気を葉物野菜の栽培空間に流通させることができ、葉物野菜の栽培空間の温度を適温まで下げることができる。フィルムを巻き上げても防虫ネットが野菜栽培用ラックの開口部を閉塞しているから、蜂などが葉物野菜の栽培空間に侵入できないので、虫食い状態でなくまた虫が卵を産みつけていない葉物野菜を栽培できる。果実野菜の葉茎に防虫薬を散布する際には、フィルムを巻き下げることで防虫薬の葉物野菜の栽培空間への侵入を回避することができて、防虫薬の葉物野菜への付着を回避することができる。また、寒気にはフィルムを巻き下げることで葉物野菜の栽培空間の温度を適温に保持できる。
【００１５】
第１の態様によれば、野菜栽培用ラックと防虫ネットとフィルムとプールと果実野菜栽培台と培地とを備えるだけのコンパクトで安価な構成により、平面的に重なる下位空間と上位空間に葉物野菜栽培部と果実野菜栽培部とが配設され葉物野菜と果実野菜とを併行して栽培することを実現でき、複数列の畝状に安価設備することが可能であり、葉物野菜と果実野菜とを平面的に重なる空間内で畝状に栽培することができて、葉物野菜と果実野菜のいずれかのみを栽培する場合に比べて土地の単位面積当たりの収量を上げ得る。
【００１６】
本発明の第２の態様の野菜栽培設備は、第１の態様において、前記野菜栽培用ラックは、長矩形のプール設置用ベッドと、前記プール設置用ベッドの長手方向に沿った両側面に立設され前記防虫ネットを張り込める枠形に形成された一対の側面枠体部と、前記一対の側面枠体部の上端に支持され、前記防虫ネットを張り込める枠形に形成されかつ前記フィルムの上端を止着し得るフィルム止着部を有する上面枠体部と、前記上面枠体部に支持された状態に設けられ前記プール設置用ベッドに比べて幅方向の寸法が小さく前記プール設置用ベッドに沿って長い果実野菜栽培用の培地を設置するための果実野菜栽培台を備えている。
【００１７】
第２の態様の野菜栽培用ラックは、プール設置用ベッドにプールを設置し、一対の側面枠体部と上面枠体部のそれぞれに防虫ネットを張り込み、防虫ネットの外面にフィルムを重ねフィルムの上端をフィルム止着部に止着するだけで、迅速に葉物野菜と果実野菜とを併行して栽培できる野菜栽培設備を作り上げることができる。
【００１８】
本発明の第３の態様の野菜栽培設備は、第２の態様において、前記果実野菜栽培台の下面に対応し前記上面枠体部に葉物野菜の水耕栽培に必要な栽培光を照射する照明具が設置されている。
【００１９】
第３の態様によれば、野菜栽培用ラックの上面部上に設置する果実野菜栽培台及び培地により太陽光の葉物野菜の栽培空間への採光が遮られ、葉物野菜に必要な光量が不足がちになるのを照明具の照明より光量の不足を補うことができる。また、夜間にも照明具の照明より栽培が促進される。
【００２０】
本発明の第４の態様は、第１乃至３のいずれかの態様において、前記プールは、ラック長手方向に分割された複数の分割受皿であって、前記分割受皿中のラック長手方向の両端に位置する分割受皿が三方に立ち上がる側面壁を有し、その他の分割受皿がラックの幅方向に立ち上がる側面壁を有し、これらの分割受皿が敷き詰められて周壁を有する組立受皿として備えられ、前記組立受皿の上にプール用フィルムが被され組立受皿の内面に密着されて養液を貯留し得る容器形状に形成されてなる。
【００２１】
第４の態様によれば、数十メートルと長尺なプールが必要な場合でも、簡便に低コストで構成でき、設置現場での組立てが容易にできる。
【００２２】
本発明の第５の態様は、第１乃至４のいずれかの態様において、前記果実野菜栽培台は、幅方向の一端又は両端に樋部を有し、前記プール設置用ベッドに載置固定されている。
【００２３】
第４の態様によれば、果実野菜を栽培するための培地に養液を掛け、養液が培地に浸透し垂れ出る液を樋部に流通して回収でき、培地に掛けた養液がフィルムに垂れ流れないのでフィルムが汚れず、長いトンネル状の葉物野菜の栽培空間の中途の葉物野菜の生育状況をフィルムを通して良好に視認できる。
【００２４】
本発明の第６の態様は、第１乃至５のいずれかの態様において、前記培地は、下面部に液抜孔を有する耐久性・断熱性を有する袋で包まれた横長の多孔質含水性ブロックと、前記袋の上面部の長手方向に所定間隔をおいて開孔された載置位置開口部を通して前記多孔質含水性ブロック上に載置された複数の多孔質含水性ポットと、を備えている。
【００２５】
この態様によれば、各多孔質含水性ポットに供給された養液は、多孔質含水性ポットに含浸して留まる分が果実野菜に吸収され、多孔質含水性ポットに留まらない分は多孔質含水性ブロックに含浸し多孔質含水性ポットの含水量が少なくなるに連れて多孔質含水性ポットに移動する。多孔質含水性ブロックが耐久性・断熱性を有する袋で包まれているが、多量の養分は液抜孔から果実野菜栽培台の樋部へ流出するから、袋内が養液で充満して袋内が嫌気性になることはなく、養液が多孔質含水性ブロック内に適切な含水状態でとどまることができ、この養液が多孔質含水性ポットに徐々に移動し、果実野菜に生育に有効に利用される。袋は、多孔質含水性ブロックの表面での蒸散を防止できる。
【００２６】
本発明の第７の態様は、第６の態様において、前記多孔質含水性ブロック及び前記多孔質含水性ポットは、ロックウール又はグラスウールからなる。
【００２７】
この態様によれば、多孔質含水性ブロック及び多孔質含水性ポットに葉物野菜を犯す病原菌の繁殖を抑えつつ栽培に良好な量の養液を含浸保持できる。
【００２８】
本発明の第８の態様は、第１乃至５のいずれかの態様において、前記培地は、底面部に水抜き用の小孔を有する発泡スチロール製の箱に培養土を入れたものである。
【００２９】
この態様によれば、果実野菜の種類ごとに、培養土を入れた発泡スチロール製の箱で苗を育て、有る程度に大きくなってから、該箱を果実野菜栽培台上に載置して栽培できる。
【００３０】
本発明の第９の態様は、第６乃至８のいずれかの態様において、前記含水性ポット又は前記箱の培養土に果実野菜を栽培するために必要な養液を供給する養液供給手段を備えて
【００３１】
この態様によれば、養液の供給を規則的に行うことが必要な給液管理を自動的に行える。
【００３２】
本発明の第１０の態様は、第６又は７の態様において、前記果実野菜栽培台と前記培地との間に挟まれるように、液通流パイプを備えた。
【００３３】
この態様によれば、液通流パイプに対し、寒気には温水を通流させ、夏季に冷水を通流させることにより培地温度を調節することができる。
【００３４】
本発明の第１１の態様は、第１乃至１０のいずれかの態様において、前記野菜栽培用ラックの長手方向の端面部に連結され該端面部を開閉する戸を備えた。
【００３５】
この態様によれば、葉物野菜の苗を固定した浮きパネルの野菜栽培用ラックの内部空間に対する収容、及び栽培により成長した葉物野菜の苗を固定した浮きパネルの野菜栽培用ラックの内部空間からの取り出しを、該ラックの端面より行うことができ、内部に虫が侵入する端面解放状態になることを回避できる。
【００３６】
本発明の第１２の態様の野菜栽培方法は、周面の開口部を密閉されることで水平方向に長い空間を構成するための骨材製組立体である野菜栽培用ラックを設置し、前記野菜栽培用ラックの開口部に防虫ネットを張り、前記防虫ネットの外面にフィルムを重ねられかつ該フィルムの下端にフィルム巻上具を取り付けて該フィルムを下端より巻上可能とし、前記野菜栽培用ラックの内部を密閉解放可能なトンネル空間とし、該トンネル空間を利用して葉物野菜を水耕栽培し、前記野菜栽培用ラックの上面部の幅方向中央部に培地接地用果実野菜栽培台を備えてその上で果実野菜を栽培し、葉物野菜と果実野菜とを上下の空間で併行して栽培することを特徴とする。
【００３７】
この態様によれば、第１の態様と全く同一の効果が得られる。
【００３８】
修正しました
本発明の第１３の態様の野菜栽培用ラックは、平面的に重なる下位空間と上位空間に葉物野菜栽培部と果実野菜栽培部とが配設され葉物野菜と果実野菜とを併行して栽培する野菜栽培設備を構成するための野菜栽培用ラックであって、長矩形のプール設置用ベッドと、前記プール設置用ベッドの長手方向に沿った両側面に立設され前記防虫ネットを張り込める枠形に形成された一対の側面枠体部と、前記一対の側面枠体部の上端に支持され、前記防虫ネットを張り込める枠形に形成されかつ前記フィルムの上端を止着し得るフィルム止着部を有する上面枠体部と、前記上面枠体部に支持された状態に設けられ前記プール設置用ベッドに比べて幅方向の寸法が小さく前記プール設置用ベッドに沿って長い果実野菜栽培用の培地を設置するための果実野菜栽培台を備えている、ことを特徴とする
【００３９】
この態様によれば、第２の態様と同一の効果が得られ、構成がコンパクトで安価であり迅速な組立性を有する野菜栽培用ラックを提供することができる。
【発明の効果】
【００４０】
本発明によれば、平面的に重なる下位空間と上位空間に葉物野菜栽培部と果実野菜栽培部とが配設され葉物野菜と果実野菜とを併行して栽培することを実現でき、複数列の畝状に安価設備することが可能であり、葉物野菜と果実野菜とを平面的に重なる空間内で畝状に栽培することができて、葉物野菜と果実野菜のいずれかのみを栽培する場合に比べて土地の単位面積当たりの収量を上げ得る，野菜栽培設備、野菜栽培方法及び野菜栽培用ラックを提供することができる。
【図面の簡単な説明】
【００４１】
【図１】本発明の実施形態に係る野菜栽培設備の正面図である。
【図２】図１の野菜栽培設備の手前の防虫ネットとフィルムを除外して内部を見た正面図である。
【図３】図１におけるIII−III矢視図である。
【図４】図１におけるIV−IV断面図である。
【図５】図１の野菜栽培設備の要部である野菜栽培用ラックの正面図である。
【図６】図５におけるVI−VI矢視図である。
【図７】図６におけるVII−VII矢視図である。
【図８】図６におけるVIII−VIII矢視図である。
【図９】図６におけるIＸ−IＸ矢視図である。
【図１０】図１の野菜栽培設備の要部であるプールの斜視図である。
【図１１】図１の野菜栽培設備の要部である果実野菜栽培部を構成するための果実野菜栽培台と多孔質含水性ブロックと複数の多孔質含水性ポットの組付関係を示す斜視図である
【発明を実施するための形態】
【００４２】
以下、本発明の野菜栽培設備に係る実施形態について図面を参照して説明する。本発明の野菜栽培方法及び野菜栽培用ラックについては野菜栽培設備の説明の中で併せて説明する。
【００４３】
〔第１実施形態〕
〔全体の概要〕
図１〜図４は野菜栽培設備の全体に関係する図である。図１〜図４に示すように、野菜栽培設備１００は、主要構成要素として野菜栽培用ラック１０を有し、野菜栽培用ラック１０の長手方向に沿った外面を防虫ネット１２で囲むと共にフィルム１３で開閉可能に覆い、長手方向に両端面を戸１１で閉じることにより、虫の侵入を防止し温室度を調整可能である内部空間に養液を貯留するプール１６を設置すると共に、野菜栽培用ラック１０の上面部である屋根組部１０Ｄに支持される果実野菜栽培用果実野菜栽培台２０を備え、該果実野菜栽培台２０に多孔質含水性ブロックの培地２１を設置した構成である。
【００４４】
従って、野菜栽培設備１００は、ほうれん草に代表される葉物野菜の苗を固定した浮きパネル１７をプール１６に浮かべて葉物野菜を水耕栽培する葉物野菜栽培部Ａと、培地２１にトマトに代表される果実野菜の苗を固定し養液を培地に一定時間毎に供給して果実野菜栽培部Ｂとを、平面的に重なる上下の空間に一設備として野菜栽培用ラック１０において纏めた構成である。
【００４５】
〔葉物野菜栽培部Ａの概要〕
葉物野菜栽培部Ａは、パイプ材と継手等を組立てられた野菜栽培用ラック１０を有する。野菜栽培用ラック１０は、底面部に長矩形のプール設置用ベッド１０Ａを有し、プール設置用ベッド１０Ａの長手方向に沿った側面部に側面枠体部１０Ｂを有し、上面中央部に屋根組部１０Ｄを有し、上面両側の端部に上面枠体部１０Ｃを有する骨組み構造である。葉物野菜栽培部Ａは、側面枠体部１０Ｂと上面枠体部１０Ｃの開口部を閉塞するように防虫ネット１２が張られ、さらに、防虫ネット１２にフィルム１３が重ねられ、フィルム１３の上端が上面枠体部１０Ｃに固定されかつ下端にフィルム巻上具１５が取り付けられている。フィルム１３は、フィルム巻上具１５により巻上可能である。野菜栽培用ラック１０の長手方向に両端面は取り外し可能な戸１１で閉じられている。野菜栽培用ラック１０のプール設置用ベッド１０Ａ上に設置され養液を溜めるプール１６を備え、浮きパネル１７に形成された孔に苗の根を通して該苗を固定して該浮きパネル１７をプール１６に溜めた養液に浮かべて葉物野菜を水耕栽培する構成である。従って、葉物野菜栽培部Ａは、防虫ネット１２とフィルム１３と戸１１で閉じられていることにより、虫の侵入を防止できてかつフィルム１３の開け閉めにより温室度を調整可能である野菜栽培用ラック１０の内部空間で水耕栽培を行えるようになっている。
【００４６】
〔野菜栽培用ラック１０の概要〕
図５〜図９は野菜栽培用ラック１０に関係する図である。野菜栽培用ラック１０は、骨材（例えば、パイプ材、丸棒材、平板材、継手など）を用いて組立てられていて、骨材間の周面開口部を防虫ネット１２及びフィルム１３で閉塞されることにより、野菜を栽培するための水平方向に長いトンネル状の空間を構成し得る。野菜栽培用ラック１０は、図では、設置場所への運搬性を考慮して、アルミニウム製パイプ又は樹脂製パイプ又は薄肉鋼管の外面に樹脂を被覆して成るパイプのいずれかと、複数種類の継手とを組立ててなる骨材製組立体が示されているが、鉄骨溶接組立製でも良い。継手は、成形一体形、分割組合形、挟持形、雌雄嵌合形など必要に応じて採用される。野菜栽培用ラック１０は、設置面積に応じて、例えば３０〜５０ｍと長尺に設けることができる。
【００４７】
図６に示すように、野菜栽培用ラック１０は、プール設置用ベッド１０Ａと、プール設置用ベッドの長手方向（紙面に垂直方向）に沿った両側面に立設された一対の側面枠体部１０Ｂと、各側面枠体部１０Ｂの上端より一体に緩傾斜状態に延在された一対の上面枠体部１０Ｃと、各上面枠体部１０Ｃの傾斜方向上端に支持された状態に設けられた果実野菜栽培台２０を備えている。各側の側面枠体部１０Ｂと上面枠体部１０Ｃには防虫ネット１２が張設される。
プール設置用ベッド１０Ａに比べて幅方向の寸法が小さくプール設置用ベッド１０Ａに沿って長い果実野菜栽培用の培地を設置するための果実野菜栽培台２０を備えている。
図５〜図９に示す野菜栽培用ラック１０は、複数の異なった手順により組立てることができる。ここでは、パイプと該継手を用いて積み上げていく組立手順を説明することで、構成について分かり易く説明する。以下、さらに詳述する。
【００４８】
まず、図７に示すように、長矩形のプール設置用ベッド１０Ａが組み立てられている。これは、２本の長いパイプ材１０ａと４本の短いパイプ材１０ｂとを３升矩形枠となるように配し、交差箇所を継手１０ｃで連結しねじで固定し、４本の短いパイプ材１０ｂの上に例えば３本のパイプ材１０ｄを横架しねじで固定することで達成し得る。尚、パイプ材１０ｄに替えて例えば波板材でも良い。
【００４９】
次に、図５，図６に示すように、８本の支柱パイプ１０ｅがプール設置用ベッド１０Ａに組み付けられている。これは、８つの継手１０ｃのそれぞれに、下方より支柱パイプ１０ｅを挿通しねじで継手１０ｃと支柱パイプ１０ｅを固定することで達成し得る。これにより、プール設置用ベッド１０Ａの下側にタンクやポンプ等の基材を設置するための空間を設ける。なお、図５，図６では、プール設置用ベッド１０Ａを一段としているが、複数段としても良い。支柱パイプ１０ｅに下端には脚１０ｆを備えている。
【００５０】
次に、図５，図６に示すように、２本の長いパイプ材１０ａの上方に少し離れた高さに連結パイプ１０ｇを支柱パイプ１０ｅに対し分割挟持形の継手１０ｈを介して組み付けられている。この連結パイプ１０ｇは、プール設置用ベッド１０Ａにプール１６を載置したときに、該プール１６が振動等に起因して前後方向に移動するのを抑止している。
【００５１】
次に、図８に示すように、２本の長いパイプ１０ｉと４本の短いパイプ１０ｊとを３升矩形枠となるように配し、交差箇所を継手１０ｋを連結しねじで固定し、この３升矩形枠を、８本の支柱パイプ１０ｅの上端に継手１０ｋを介して嵌合しねじで固定されている。これにより、野菜栽培用ラック１０は、果実野菜栽培部Ｂの果実野菜栽培台２０を載置可能な強度を備えたトラス構造に構成されている。
【００５２】
次に、図８に示す８つの継手１０ｋの各上端より短パイプ１０ｍを伸ばして継手１０ｎを組み付け、継手１０ｎを介し、パイプ材１０ｉの上方に少し離れた高さに連結パイプ１０ｐを横架されると共に傾斜パイプ１０ｑが組み付けられる。なお、傾斜パイプ１０ｑに替えて、継手１０ｎから立ち上がってから水平にのびるＬ字パイプとし、斜がいを設けても良い。
【００５３】
次に、野菜栽培用ラック１０の上面に果実野菜栽培部Ｂを受承状態に設置するため、図４に示すように、屋根組部１０Ｄが組み付けられ、該屋根組部１０Ｄが、図６に示すように、両側の傾斜パイプ１０ｑの傾斜上端に継手１０ｒを介して組み付けられている。
屋根組部１０Ｄは、両側の傾斜パイプ１０ｑの傾斜上端に継手１０ｒを介して組み付けられる２本の長い棟パイプ１０ｓを有し、該２本の棟パイプ１０ｓが複数の連結パイプ１０ｔで梯子段状に連結され、２本の棟パイプ１０ｓ上に果実野菜栽培用ベースプレート１４が載置されている。果実野菜栽培用ベースプレート１４の幅方向の端縁は棟パイプ１０ｓより端出していて、該張り出し部分がフィルム挟持用受け部１８ａとなっていて、フィルム挟持用受け部１８ａの上に帯板よりなるフィルム押さえ板１８ｂを重ねられ、ボルト（符号なし）でフィルム押さえ板１８ｂに止着しうる。これにより、図４に示すように、野菜栽培用ラック１０は、プール設置用ベッド１０Ａの上方の中央に屋根組部１０Ｄを備え、屋根組部１０Ｄ上に、果実野菜栽培部Ｂの果実野菜栽培台２０を載置状態に備えている。
【００５４】
側面枠体部１０Ｂは、プール設置用ベッド１０Ａの長手方向に沿った両側面に上面枠体部１０Ｃを張り込める。
上面枠体部１０Ｃは、一対の側面枠体部の上端に上面枠体部１０Ｃを張り込める
【００５５】
〔照明具２６〕
図４に示すように、照明具２６は、果実野菜栽培台２０の下面に対応しパイプ１０ｊの中央位置の下面に固定されている。照明具２６は、葉物野菜に対しその生育に必要な光を照射する。照明具２６は、白色光を放射する蛍光管型のＬＥＤランプが設置されている。このＬＥＤランプは、長矩形の基板と、基板の下向き面に一列又は複数列に配列された白色光を放射するチップ型ＬＥＤと、を有し、下向きに放射する蛍光管型の構造のＬＥＤランプを採用することが好ましい。又、照明具２６は、ＬＥＤランプに変えて冷陰極管を設置しても良い。
野菜栽培用ラック１０の内部空間は、果実野菜栽培台２０の両側の上面枠体部１０Ｃから太陽光が入り込むが、果実野菜栽培台２０及び培地２１により太陽光が届かない影の領域を作るので、この影の領域で葉物野菜に必要な光量が不足がちになる、照明具２６による照明は、この影の領域の光量の不足を補い、栽培を促進する役目を果たす。また、照明具２６は、夜間照明を行うことで栽培を促進する役目を果たす。
【００５６】
〔防虫ネット１２とフィルム１３とフィルム巻上具１５〕
図１、図４に示すように、プール設置用ベッド１０Ａの両側において、上下の長いパイプ材１０ａ，１０ｉ，１０ｐと４本の支柱パイプ１０ｅとにより、図６に示す、プール設置用ベッド１０Ａの長手方向に沿った側面枠体部１０Ｂが構成されており、また、屋根組部１０Ｄを構成している棟パイプ１０ｓと傾斜パイプ１０ｑとパイプ材１０ｐとにより、図６に示す、上面枠体部１０Ｃが構成されており、図４に示すように、各側の側面枠体部１０Ｂと上面枠体部１０Ｃに一枚の防虫ネット１２が張設されている。防虫ネット１２の上端は、棟パイプ１０ｓと果実野菜栽培用ベースプレート１４とに挟まれて固定される。すなわち、果実野菜栽培用ベースプレート１４の取り付けは、防虫ネット１２の上端を挟み込むようにして行う。なお、防虫ネット１２の上端の固定手段（例えば防虫ネット１２を巻き付けてクリップ等で固定できる水平棹など）をフィルム挟持用受け部１８ａと平行に隣設しても良い。
【００５７】
フィルム１３は、防虫ネット１２に重ねられ、上端をフィルム挟持用受け部１８ａとフィルム押さえ板１８ｂとに挟まれて固定され、下端をパイプ材１０ａの位置まで下げられ、下端にフィルム巻上具１５のシャフト１５ａが固着される。
【００５８】
フィルム巻上具１５は、ハンドル１５ｂを回し、本体内の歯車減速機構を介してシャフト１５ａを巻き上げ方向及び巻き下げ方向に回転し得る。夏季の蒸し暑い日には、フィルム巻上具１５を巻上げ操作してフィルム１３を巻上げ葉物野菜栽培部Ａに外気を流入させ、寒気には、フィルム巻上具１５を巻下げ操作してフィルム１３を巻下げ、葉物野菜栽培部Ａへの外気の流入を遮断して葉物野菜栽培部Ａ内の温度調節を図る。
【００５９】
〔プール１６〕
図４、図１０に示すように、プール１６は、発泡スチロールで構成されたプルール本体（１６ａ，１６ｂ）と、プール床用フィルム１６ｄとを含んでなる。プルール本体は、長矩形の底面部とこの底面部を囲む長い側壁部と短い側壁部とを有する長矩形の升形状であり、ラック長手方向に分割された分割受皿１６ａ，１６ｂを組立てて成る。両端の分割受皿１６ａは、三方に立ち上がる側面壁を有し、他の分割受皿１６ｂは、ラックの幅方向に立ち上がる側面壁を有している。両端の分割受皿１６ａには、床面にドレン孔１６ｃ（浅い大径の凹部及び該凹部と同心の小径の貫通孔）が形成されている。
【００６０】
図４、図１０に示すように、プール１６は、野菜栽培用ラック１０のプール設置用ベッド１０Ａ上で、複数の分割受皿１６ａ，１６ｂを敷き詰めて端面同士を密着させ離れないように粘着テープ（図示しない）を内外面の継ぎ目に貼り付けてプルール本体を構成し、プール床用フィルム１６ｄを被せて受皿内面に密着させ、両端の分割受皿１６ａのドレン孔１６ｃに合わせて排液手段を設けて完成する。この排液手段は、使い終わった養液を排水するためのもので、ドレン孔１６ｃに合わせてプール床用フィルム１６ｄに孔を開け、ドレン孔１６ｃに対し鍔を上端に有するドレンパイプ１６ｅを上方から挿し込み、該ドレンパイプ１６ｅに対し分割受皿１６ａの下面に強く密着するまでナットリング１６ｆを締め付けて成る。プール１６は、このような構成であるので、数十メートルと長い場合でも、簡便に低コストで構成でき、設置現場での組立てが容易かつ短時間にできる。なお、ドレンパイプ１６ｅには栓をする。また、ドレンパイプ１６ｅから排出する使用済の液は、配管を介して使用済液回収タンク（図示しない）に回収される。
プール１６には、ほうれん草，コマツナ，シュンギク，ルッコラ等の葉物野菜の種類に応じ必要な複数種類の肥料を配合した養液を貯留する。養液は、葉物野菜の１収穫毎に全量を交換する。なお、養液を循環し得るようにプールを設けても良い。
【００６１】
〔浮きパネル１７〕
図４に示すように、プール１６に貯留する養液に浮かばせる浮きパネル１７は、プール１６の内幅一杯に収まり、取り扱いし易い大きさとなるように長手方向の大きさが決められた矩形状の発泡スチロール板で構成される。浮きパネル１７は、長さ方向に並べてプール１６内に一杯に敷き詰められように複数枚を用意する。浮きパネル１７には、苗の根を下側に通して該苗Ｐ１を固定する孔が正列状あるいは斜列状に設けられている。分割した葉物野菜の種類に応じ必要な複数種類の肥料を配合した養液を貯留浮きパネル１７に形成された孔に該浮きパネル１７をプール１６に溜めた養液に浮かべて葉物野菜を水耕栽培する構成である。
浮きパネル１７には、葉物野菜の苗Ｐ１の根を通して固定し得る孔を有している。浮きパネル１７の全ての孔に葉物野菜の苗Ｐ１を固定し、該浮きパネル１７をプール１６に溜めた養液に浮かべる。
【００６２】
〔戸１１について〕
図３に示すように、野菜栽培用ラック１０の長手方向の端面部は、葉物野菜の栽培のために浮きパネル１７を出し入れに際して開放する。しかし、平時は開放したままにすると、ラック内に虫が入り込み、葉物野菜が虫食いになる。このため、野菜栽培用ラック１０の長手方向の端面部も戸１１により閉じられる。戸１１は、戸枠１１ａと、戸枠１１ａの上辺部及び下辺部に設けられた係止金具１１ｂ，１１ｃと、戸枠１１ａの両側部に設けられた把手１１ｄと、戸枠１１ａに張設された戸フィルム１１ｅとからなる。上側の係止金具１１ｂは上方に延びて係止長さが大きく、下側の係止金具１１ｃは下方に延びて係止長さが小さく、これにより、戸１１は、野菜栽培用ラック１０の長手方向の端面部に対してけんどん式に取り外しできる。なお、戸１１は、戸フィルム１１ｅに替えてネットを設けても良い。また、戸１１を観音開き式に設けても良い。
【００６３】
この態様によれば、葉物野菜の苗Ｐ１を固定した浮きパネル１７の野菜栽培用ラック１０の内部空間に対する収容、及び栽培により成長した葉物野菜の苗Ｐ１を固定した浮きパネル１７の野菜栽培用ラック１０の内部空間からの取り出しを、該ラックの端面より行うことができ、内部に虫が侵入する端面解放状態になることを回避できる。
【００６４】
〔果実野菜栽培部Ｂの概要〕
図４に示すように、果実野菜栽培部Ｂは、野菜栽培用ラック１０の上面部上に設置された果実野菜栽培台２０と、果実野菜栽培台２０上に設置された培地２１と、培地２１に果実野菜を栽培するために必要な養液を供給する養液供給手段２５を備えている。
【００６５】
〔果実野菜栽培台２０の構成〕
果実野菜栽培台２０は、アルミニウム板又は銅板を折り曲げ形成されて成り、図１１に示すように、果実野菜栽培用ベースプレート１４上に載置されボルト（図示しない）で固定される。果実野菜栽培台２０は、図４，図１０に示すように、中央部が高い幅広の平面で培地２１を設置する設置面２０ａとなっていて、設置面２０ａの幅方向の両端に垂下部２０ｂを有し、垂下部２０ｂの下端に一対の樋部２０ｃを有している。
【００６６】
〔培地２１の構成〕
図４，図１１に示すように、培地２１は、果実野菜栽培用ベースプレート１４と果実野菜栽培台２０の上に載置される。培地２１は、下面部に液抜孔２２ａを有する耐久性・断熱性を有する袋２２で包まれた横長の多孔質含水性ブロック２３と、袋２２の上面部の長手方向に所定間隔をおいて開孔された載置位置開口部２２ｂを通して多孔質含水性ブロック２３上に載置された複数の多孔質含水性ポット２４と、を備える。多孔質含水性ブロック２３及び多孔質含水性ポット２４は、ロックウール又はグラスウールからなる。多孔質含水性ブロック２３及び多孔質含水性ポット２４に果実野菜Ｐ２を犯す病原菌の繁殖を抑えつつ栽培に良好な量の養液を含浸保持できる。なお、多孔質含水性ブロック２３及び多孔質含水性ポット２４を幅広に設けて果実野菜Ｐ２を２列に栽培するように設けても良い。
【００６７】
〔養液供給手段２５の構成〕
図４に示すように、養液供給手段２５は、野菜栽培設備１００の長手方向に沿った両側に作業通路を確保するため、プール設置用ベッド１０Ａの下側空間に、水タンク２５ａ、第１のポンプ２５ｂ、第１の養液タンク２５ｃ、第２のポンプ２５ｄ、第２の養液タンク２５ｅ、第３のポンプ２５ｆ、第３の養液タンク２５ｇ、第４のポンプ２５ｈを備えている。養液供給手段２５は、図示しないコントローラにより運転を管理され、例えば、夏季には３０分経過する毎に、冬季には６０分経過する毎に、第１〜第４のポンプ２５ｂ，２５ｄ，２５ｆ，２５ｈを所要時間駆動するようになっていて、第１のポンプ２５ｂにより水タンク２５ａ内の水を養液供給管２５ｉに給送し、これと同期して、第２〜第４のポンプ２５ｄ，２５ｆ，２５ｈにより、第１〜第３の養液タンク２５ｃ，２５ｅ，２５ｇ内の肥料液が養液供給管２５ｉに、例えば水に対して各肥料液が百分の１の量で給送され、混合されて果実野菜を栽培するために必要な養液とし、各多孔質含水性ポット２４に対応して分岐した複数の分岐管に養液を流し、分岐管の先端の圧力調整弁（図示しない）を通り多孔質含水性ポット２４に供給する。
多孔質含水性ポット２４に供給される養液は、多孔質含水性ポット２４に含浸され、余分の養液が多孔質含水性ブロック２３に含水保持され、さらに余剰の養液は、養液回収タンク２５ｊに回収される。
【００６８】
各多孔質含水性ポット２４に供給される養液は、多孔質含水性ポット２４に含浸して留まる分が果実野菜に吸収され、多孔質含水性ポット２４に留まらない分は多孔質含水性ブロック２３に含浸し多孔質含水性ポット２４の含水量が少なくなるに連れて多孔質含水性ポット２４に移動する。
このため、果実野菜を栽培するための培地に養液を掛け、養液が培地に浸透し垂れ出る液を樋部２０ｃに流通して回収できる。樋部２０ｃがあるので、多孔質含水性ポット２４に掛けた養液がフィルム１３に垂れ流れないのでフィルム１３が汚れず、長いトンネル状の葉物野菜の栽培空間の中途の葉物野菜の生育状況をフィルム１３を通して良好に視認できる。
多孔質含水性ブロック２３が耐久性・断熱性を有する袋２２で包まれているが、多量の養分は液抜孔２２ａから果実野菜栽培台２０の樋部２０ｃへ流出するから、袋２２内が養液で充満して袋内が嫌気性になることはなく、養液が多孔質含水性ブロック２３内に適切な含水状態でとどまることができ、この養液が多孔質含水性ポット２４に徐々に移動し、果実野菜に生育に有効に利用される。袋は、多孔質含水性ブロック２３の表面での蒸散を防止できる。
【００６９】
〔液通流パイプ２７について〕
図４に示すように、液通流パイプ２７は、銅管又はアルミニウム管により構成され、果実野菜栽培台２０と培地２１との間に挟まれるように備えられている。液通流パイプ２７に対し、寒気には温水を通流させ、夏季に冷水を通流させることにより培地温度を調節することができる。
【００７０】
以上説明してきた上記構成のよう野菜栽培設備及び野菜栽培方法によれば、野菜栽培用ラック１０を設置し、防虫ネット１２を張り、フィルム１３が重ね、フィルム１３の下端にフィルム巻上具１５を取り付け、野菜栽培用ラック１０の内部を密閉解放可能なトンネル空間とし、該トンネル空間をプール１６を設置し、プール１６に養液を溜め、浮きパネル１７に形成された孔に苗Ｐ１の根を通して該苗Ｐ１を固定して該浮きパネル１７をプール１６に溜めた養液に浮かべてほうれん草，コマツナ，シュンギク，ルッコラ等の葉物野菜葉物野菜を水耕栽培し、また野菜栽培用ラック１０の上面部の果実野菜栽培台２０上に設置した培地２１に苗Ｐ２を固定し一定時間毎に養液を給液してトマト，ナス，キュウリ，イチゴ，オクラ，モロコシ，メロン等の果実野菜を栽培する。プール１６に溜める養液は、葉物野菜の栽培サイクルで全量を回収し、新規に養液を貯留する。果実野菜の培地２１への養液の給液は、ポンプと養液タンク等を含む養液供給手段２５により行う。
【００７１】
上記構成のよう野菜栽培設備及び野菜栽培方法によれば、夏季の高温となる日中には、フィルム巻上具１５によりフィルム１３を巻き上げて外気を葉物野菜の栽培空間に流通させることができ、葉物野菜の栽培空間の温度を適温まで下げることができる。フィルム１３を巻き上げても上面枠体部１０Ｃが野菜栽培用ラック１０の周面開口部を閉塞しているから、蜂などが葉物野菜の栽培空間に侵入できないので、虫食い状態でなくまた虫が卵を産みつけていない葉物野菜を栽培できる。果実野菜の葉茎に防虫薬を散布する際には、フィルム１３を巻き下げることで防虫薬の葉物野菜の栽培空間への侵入を回避することができて、防虫薬の葉物野菜への付着を回避することができる。また、寒気にはフィルム１３を巻き下げることで葉物野菜の栽培空間の温度を適温に保持できる。
【００７２】
上記構成のよう野菜栽培設備及び野菜栽培方法によれば、野菜栽培用ラック１０と上面枠体部１０Ｃとフィルム１３とプール１６と果実野菜栽培台２０と培地２１とを備えるだけのコンパクトで安価な構成により、平面的に重なる下位空間と上位空間に葉物野菜栽培部Ａと果実野菜栽培部Ｂとが配設され葉物野菜と果実野菜とを併行して栽培することを実現でき、複数列の畝状に安価設備することが可能であり、葉物野菜と果実野菜とを平面的に重なる空間内で畝状に栽培することができて、葉物野菜と果実野菜のいずれかのみを栽培する場合に比べて土地の単位面積当たりの収量を上げ得る。
【００７３】
〔その他の実施形態〕
本発明は、上記の実施形態に限定されるものでなく、特許請求の範囲の技術的範囲には、発明の要旨を逸脱しない範囲内で種々、設計変更した形態が含まれる。
【００７４】
図５〜図９に示す野菜栽培用ラック１０は、実施形態とは異なった手順により組立てることができる。例えば、長手方向に対して直角な垂直面内に起立する縦枠部を工場で予め組立てて、設置する現地で縦枠部同士を長手方向に連結することで組立てることもできる。
【００７５】
培地２１は、底面部に水抜き用の小孔を有する発泡スチロール製の箱に培養土或は多孔質含水性ブロックを収納した態様としてもよい。この態様によれば、果実野菜の種類ごとに、培養土を入れた発泡スチロール製の箱で苗を育て、有る程度に大きくなってから、該箱を果実野菜栽培台２０上に載置して栽培できる。
【符号の説明】
【００７６】
野菜栽培設備１００、Ａ…葉物野菜栽培部、Ｐ１…葉物野菜及びその苗、Ｂ…果実野菜栽培部、Ｐ２…果実野菜及びその苗、１０…野菜栽培用ラック、１０Ａ…プール設置用ベッド、１０Ｂ…側面枠体部、１０Ｃ…上面枠体部、１０Ｄ…屋根組部、１０ａ…パイプ材、１０ｂ…パイプ材、１０ｃ…継手、１０ｄ…パイプ材、１０ｅ…支柱パイプ、１０ｆ…脚、１０ｇ…連結パイプ、１０ｈ…継手、１０ｉ…パイプ、１０ｊ…パイプ、１０ｋ…継手、１０ｍ…短パイプ、１０ｎ…継手、１０ｐ…連結パイプ、１０ｑ…傾斜パイプ、１０ｒ…継手、１０ｓ…棟パイプ、１０ｔ…連結パイプ、１１…戸、１１ａ…戸枠、１１ｂ，１１ｃ…係止金具、１１ｄ…把手、１１ｅ…戸フィルム、１２…防虫ネット、１３…フィルム、１４…果実野菜栽培用ベースプレート、１８ａ…フィルム挟持用受け部、１８ｂ…フィルム押さえ板、１５…フィルム巻上具、１５ａ…シャフト、１５ｂ…ハンドル、１６…プール、１６ａ，１６ｂ…分割受皿（プール本体）、１６ｃ…ドレン孔、１６ｄ…プール床用フィルム、１６ｅ…ドレンパイプ、１６ｆ…ナットリング、１７…浮きパネル、２０…果実野菜栽培台、２０ａ…設置面、２０ｂ…垂下部、２０ｃ…樋部、２１…培地、２２…袋、２２ａ…液抜孔、２２ｂ…載置位置開口部、２３…多孔質含水性ブロック、２４…多孔質含水性ポット、２５…養液供給手段、２５ａ…水タンク、２５ｂ…第１のポンプ、２５ｃ…第１の養液タンク、２５ｄ…第２のポンプ、２５ｅ…第２の養液タンク、２５ｆ…第３のポンプ、２５ｇ…第３の養液タンク、２５ｈ…第４のポンプ、２５ｉ…養液供給管、２５ｊ…回収タンク、２６…照明具、２７…液通流パイプ
【図１】
2014023433.tif 000003
【図２】
2014023433.tif 000004
【図３】
2014023433.tif 000005
【図４】
2014023433.tif 000006
【図５】
2014023433.tif 000007
【図６】
2014023433.tif 000008
【図７】
2014023433.tif 000009
【図８】
2014023433.tif 000010
【図９】
2014023433.tif 000011
【図１０】
2014023433.tif 000012
【図１１】
2014023433.tif 000013